(57)【要約】      （修正有）【課題】ドクターブレードの保持力を向上させることができるドクター装置を提供する。【解決手段】押し上げ部材１４は、ドクターブレードＤＢと支持部材１０の間に設けられており、押さえ部材１１でドクターブレードＤＢを支持部１００に押しつけたときに、ドクターブレードＤＢの下面に接触する。また、押し上げ部材１４は、押さえ部材１１でドクターブレードＤＢを支持部１００に押しつけたときに、ドクターブレードＤＢを上側に押し上げてドクターブレードＤＢの上面を押さえ部材１１に接触させる。そのため、押さえ部材１１が湾曲しても、ドクターブレードＤＢの上面と押さえ部材１１の接触部分を、従来に比べ大きくすることができる。従って、ドクターブレードＤＢの挟持される部分の面積を、従来に比べ大きくすることができる。その結果、ドクターブレードＤＢの保持力を向上させることができる。【選択図】図１
2018196943.tif 000002
【特許請求の範囲】
【請求項１】
ドクターブレードを支持する支持部を有する支持部材と、
弾性を有する帯状の部材であって、前記支持部材と対向して設けられ、前記支持部材との間に前記ドクターブレードが配置され、幅方向の一端部で前記ドクターブレードを前記支持部に押しつける押さえ部材と、
前記押さえ部材の前記一端部と他端部の間であって、前記押さえ部材の反支持部材側で前記押さえ部材に当接し、前記押さえ部材の前記他端部を前記反支持部材側に変位させることで前記押さえ部材の前記一端部を支持部材側に変位させるための支点となる支点部を有する支点部材と、
前記押さえ部材の前記他端部を前記反支持部材側に変位させる固定部材と、
を備え、前記固定部材によって前記押さえ部材の前記他端部を前記反支持部材側に変位させることで、前記支点部を支点として前記押さえ部材の前記一端部を前記支持部材側に変位させ、前記押さえ部材の前記一端部によって前記ドクターブレードを前記支持部に押しつけて前記ドクターブレードを固定するドクター装置であって、
前記ドクターブレードと前記支持部材の間に設けられ、前記押さえ部材で前記ドクターブレードを前記支持部に押しつけたときに、前記ドクターブレードの前記支持部材側の表面に当接するとともに、前記ドクターブレードの押さえ部材側の表面を前記押さえ部材に当接させる押し上げ部材を有するドクター装置。
【請求項２】
前記押し上げ部材は、弾性を有する帯状の部材であって、前記ドクターブレードと前記支持部材の間に設けられ、幅方向の一端部が前記押さえ部材の一端部側に、他端部が前記押さえ部材の他端部側に配置され、前記固定部材によって前記他端部を前記押さえ部材の前記他端部とともに前記反支持部材側に変位させることで、前記ドクターブレードの前記支持部材側の表面に当接するとともに、前記ドクターブレードを前記押さえ部材側に押し上げて前記ドクターブレードの前記押さえ部材側の表面を前記押さえ部材に当接させる請求項１に記載のドクター装置。
【請求項３】
前記押し上げ部材は、前記支持部に、ドクターブレード側に突出するように設けられ、前記押さえ部材で前記ドクターブレードを前記支持部に押しつけたときに、前記ドクターブレードの前記支持部材側の表面に当接するとともに、前記ドクターブレードを前記押さえ部材側に押し上げて前記ドクターブレードの前記押さえ部材側の表面を前記押さえ部材に当接させる請求項１に記載のドクター装置。
【発明の詳細な説明】
【技術分野】
【０００１】
本発明は、ドクターブレードを固定するドクター装置に関する。
【背景技術】
【０００２】
従来、ドクターブレードを固定するドクター装置として、例えば以下に示す特許文献１に開示されているドクターホルダーがある。ここで、ドクターブレードは、グラビア印刷等に用いる版胴の版面に着いた余分なインキをかき取るための薄い板状の部材である。
【０００３】
このドクターホルダーは、ドクターホルダー本体と、押さえ板と、支持部材と、固定部材とを備えている。
【０００４】
ドクターホルダー本体は、ドクターブレードを支持する部材であって、ドクターブレードを支持するための平坦面を有している。押さえ板は、弾性を有する薄い帯状の部材であって、幅方向の一端部でドクターブレードをドクターホルダー本体の平坦面に押しつける部材である。押さえ板は、ドクターホルダー本体と対向して設けられている。支持部材は、押さえ板の一端部と他端部の間であって、押さえ板の反ドクターホルダー本体側（つまり上側）に、押さえ板に当接し、押さえ板の他端部を反ドクターホルダー本体側に変位させることで、押さえ板の一端部をドクターホルダー本体側に変位させるための支点となる部材である。支持部材は、ボルトによって、ドクターホルダー本体に固定されている。固定部材は、押さえ板の他端部を反ドクターホルダー本体側（つまり上側）に変位させる部材である。
【０００５】
ドクターブレードは、ドクターホルダー本体の平坦面と押さえ板の一端部の間に基端部を挿入し、先端部を前側に突出させた状態で配置される。固定部材によって押さえ板の他端部を上側に変位させると、支持部材を支点として押さえ板の一端部がドクターホルダー本体側に変位する。その結果、ドクターブレードは、押さえ板の一端部によってドクターホルダー本体の平坦面に押しつけられ固定される。つまり、ドクターホルダー本体と押さえ板によって挟持され固定される。
【先行技術文献】
【特許文献】
【０００６】
【特許文献１】特開平１０−２７２７５７号公報
【発明の概要】
【発明が解決しようとする課題】
【０００７】
ところで、ドクターブレードの保持力は、ドクターホルダー本体と押さえ板によって挟持される部分の面積に比例する。ここで、ドクターホルダー本体と押さえ板によって挟持される部分の面積とは、ドクターホルダー本体と押さえ板によってドクターブレードが挟持されている状態において、ドクターブレードとドクターホルダー本体の接触部分と、ドクターブレードと押さえ板の接触部分のうち、ドクターブレードの板厚方向で重なった部分の面積のことである。ドクターホルダー本体と押さえ板によって挟持される部分の面積が大きいほど摩擦力が大きく、ドクターブレードの保持力も大きくなる。
【０００８】
ドクターブレードのうち、ドクターホルダー本体上に配置されている部分の下面は、ドクターホルダー本体の平坦面に接触している。しかし、押さえ板は、弾性を有する薄い帯状の部材であり、ドクターブレードをドクターホルダー本体に押しつけたときに湾曲するため、ドクターホルダー本体上に配置されている部分の上面全体に接触することはできない。そのため、ドクターホルダー本体と押さえ部材によって挟持される部分の面積を大きくすることが困難であった。つまり、ドクターブレードの保持力を向上させることが困難であった。
【０００９】
本願発明はこのような事情に鑑みてなされたものであり、ドクターブレードの保持力を向上させることができるドクター装置を提供することを目的とする。
【課題を解決するための手段】
【００１０】
上記課題を達成するためになされたドクター装置は、ドクターブレードを支持する支持部を有する支持部材と、弾性を有する帯状の部材であって、支持部材と対向して設けられ、支持部材との間にドクターブレードが配置され、幅方向の一端部でドクターブレードを支持部に押しつける押さえ部材と、押さえ部材の一端部と他端部の間であって、押さえ部材の反支持部材側で押さえ部材に当接し、押さえ部材の他端部を反支持部材側に変位させることで押さえ部材の一端部を支持部材側に変位させるための支点となる支点部を有する支点部材と、押さえ部材の他端部を反支持部材側に変位させる固定部材と、を備え、固定部材によって押さえ部材の他端部を反支持部材側に変位させることで、支点部を支点として押さえ部材の一端部を支持部材側に変位させ、押さえ部材の一端部によってドクターブレードを支持部に押しつけてドクターブレードを固定するドクター装置であって、ドクターブレードと支持部材の間に設けられ、押さえ部材でドクターブレードを支持部に押しつけたときに、ドクターブレードの支持部材側の表面に当接するとともに、ドクターブレードの押さえ部材側の表面を押さえ部材に当接させる押し上げ部材を有する。
【００１１】
この構成によれば、押し上げ部材は、ドクターブレードと支持部材の間に設けられており、押さえ部材でドクターブレードを支持部に押しつけたときに、ドクターブレードの支持部材側の表面に接触する。また、押し上げ部材は、押さえ部材でドクターブレードを支持部に押しつけたときに、ドクターブレードの押さえ部材側の表面を押さえ部材に接触させる。そのため、押さえ部材が湾曲してもドクターブレードの押さえ部材側の表面と押さえ部材の接触部分を、従来に比べ大きくすることができる。従って、ドクターブレードの挟持される部分の面積を、従来に比べ大きくすることができる。その結果、ドクターブレードの保持力を向上させることができる。
【００１２】
ドクター装置の押し上げ部材は、弾性を有する帯状の部材であって、前記ドクターブレードと前記支持部材の間に設けられ、幅方向の一端部が前記押さえ部材の一端部側に、他端部が前記押さえ部材の他端部側に配置され、前記固定部材によって前記他端部を前記押さえ部材の前記他端部とともに前記反支持部材側に変位させることで、前記ドクターブレードの前記支持部材側の表面に当接するとともに、前記ドクターブレードを前記押さえ部材側に押し上げて前記ドクターブレードの前記押さえ部材側の表面を前記押さえ部材に当接させることが好ましい。
【００１３】
この構成によれば、押さえ部材でドクターブレードを支持部に押しつけたときに、ドクターブレードの支持部材側の表面に当接するとともに、ドクターブレードの押さえ部材側の表面を押さえ部材に確実に当接させることができる。
【００１４】
ドクター装置の押し上げ部材は、前記押し上げ部材は、前記支持部に、ドクターブレード側に突出するように設けられ、前記押さえ部材で前記ドクターブレードを前記支持部に押しつけたときに、前記ドクターブレードの前記支持部材側の表面に当接するとともに、前記ドクターブレードを前記押さえ部材側に押し上げて前記ドクターブレードの前記押さえ部材側の表面を前記押さえ部材に当接させることが好ましい。
【００１５】
この構成によれば、押さえ部材でドクターブレードを支持部に押しつけたときに、ドクターブレードの支持部材側の表面に当接するとともに、ドクターブレードの押さえ部材側の表面を押さえ部材に確実に当接させることができる。
【図面の簡単な説明】
【００１６】
【図１】第１実施形態におけるドクター装置の側面図である。
【図２】図１におけるドクターブレードの上面図である。
【図３】図１における支持部材の上面図である。
【図４】図１における押さえ部材の上面図である。
【図５】図１における支点部材の側面図である。
【図６】図１におけるカム部材の上面図である。
【図７】図６におけるＶＩＩ−ＶＩＩ矢視断面図である。
【図８】図１におけるレバー部材の上面図である。
【図９】図１における押し上げ部材の上面図である。
【図１０】ドクターブレード固定前の第１実施形態におけるドクター装置の側面図である。
【図１１】押さえ部材と押し上げ部材の間にドクターブレードが挿入された第１実施形態におけるドクター装置の側面図である。
【図１２】第２実施形態におけるドクター装置の側面図である。
【図１３】図１２における押し上げ部材周辺の部分拡大図である。
【図１４】図１２における支持部材の上面図である。
【発明を実施するための形態】
【００１７】
次に実施形態を挙げ、本発明をより詳しく説明する。
【００１８】
（第１実施形態）
まず、図１〜図９を参照して本形態のドクター装置の構成について説明する。ここで、図１は、本形態におけるドクター装置の側面図である。図２は、図１におけるドクターブレードの上面図である。図３は、図１における支持部材の上面図である。図４は、図１における押さえ部材の上面図である。図５は、図１における支点部材の側面図である。図６は、図１におけるカム部材の上面図である。図７は、図６におけるＶＩＩ−ＶＩＩ矢視断面図である。図８は、図１におけるレバー部材の上面図である。図９は、図１における押し上げ部材の上面図である。なお、図中における前後方向、左右方向及び上下方向は、方向を区別するために便宜的に記載したものである。
【００１９】
図１に示すドクター装置１は、ドクターブレードＤＢを固定する装置である。ここで、ドクターブレードＤＢは、グラビア印刷等に用いる版胴の版面に着いた余分なインキをかき取るための部材である。図１及び図２に示すように、ドクターブレードＤＢは、左右方向に長い薄い帯状の金属を板厚方向に２枚積層して構成されている。図１に示すように、ドクター装置１は、支持部材１０と、押さえ部材１１と、支点部材１２と、固定部材１３と、押し上げ部材１４とを備えている。
【００２０】
支持部材１０は、剛性を有する、つまり弾性変形が規制された所定厚さの長方形状の金属からなる部材であって、幅方向の一端部１０ａでドクターブレードＤＢを支持する部材である。具体的には、図３に示すように、剛性を有する所定厚さの左右方向に長い長方形状の金属からなる部材であって、前側の一端部１０ａでドクターブレードＤＢを支持する部材である。図１及び図３に示すように、支持部材１０は、支持部１００と、カム溝部１０１と、レバー溝部１０２と、ねじ孔部１０３とを備えている。
【００２１】
支持部１００は、一端部１０ａの上側に設けられたドクターブレードＤＢを支持するための部位である。支持部１００の上面には、ドクターブレードＤＢを支持するための左右方向に長い長方形状の平坦面１００ａが形成されている。平坦面１００ａの前後方向の寸法は、ドクターブレードＤＢの前後方向の寸法より小さい設定されている。ドクターブレードＤＢの前後方向の寸法の１／２程度に設定されている。平坦面１００ａの左右方向の寸法は、ドクターブレードＤＢの左右方向の寸法と同一になるように設定されている。
【００２２】
カム溝部１０１は、後述する固定部材１３のカム部材１３０を周方向に回動可能に保持するための部位である。具体的には、支持部材１０の上面に形成された、一端部１０ａと他端部１０ｂの間を左右方向に延びる、断面が略半円形状をなす溝である。カム溝部１０１の略半円形状の断面の直径は、後述するカム部材１３０の円弧面１３０ｂの直径よりわずかに大きくなるように設定されている。
【００２３】
レバー溝部１０２は、後述する固定部材１３のレバー部材１３１を収容するための部位である。具体的には、支持部材１０の上面に形成された、カム溝部１０１から他端部１０ｂにかけて延びる溝である。レバー溝部１０２は、レバー部材１３１の形状に合わせ、左右方向の２箇所に形成されている。
【００２４】
ねじ孔部１０３は、支点部材１２を固定するための部位である。具体的には、支持部材１０の上面に形成された、カム溝部１０１よりも前側に左右方向に間隔をあけて複数設けられる、後述する支点部材１２のねじ部１２２と螺合する雌ねじ孔である。
【００２５】
図１に示す押さえ部材１１は、弾性を有する薄い帯状の金属からなる部材であって、支持部材１０の上側に支持部材１０と対向して設けられ、幅方向の一端部１１ａでドクターブレードＤＢを支持部１００に押しつける部材である。具体的には、図４に示すように、左右方向に長い弾性を有する薄い帯状の金属からなる部材であって、前側の一端部１１ａでドクターブレードＤＢを支持部１００に押しつける部材である。押さえ部材１１の前後方向の寸法は、押さえ部材１１の一端部１１ａ側の先端を支持部材１０の一端部１０ａ側の先端に揃えた状態で、支持部材１０の上側に配置したときに、押さえ部材１１の他端部１１ｂがカム溝部１０１の上側に位置するように設定されている。押さえ部材１１の左右方向の寸法は、支持部１００の左右方向の寸法と同一になるように設定されている。押さえ部材１１は、だるま孔部１１０と、切り欠き部１１１と備えている。
【００２６】
だるま孔部１１０は、図１に示すように、後述するねじ孔部１０３に螺合した支点部材１２が挿通する孔である。図４に示すように、だるま孔部１１０は、後述する支点部材１２の頭部１２０が挿通可能な大径部１１０ａと、後述する支点部材１２の軸部１２１だけが挿通可能な前後方向に延びる小径部１１０ｂとを備えている。だるま孔部１１０は、一端部１１ａと他端部１１ｂの間であって、他端部１１ｂに近い位置に、大径部１１０ａを後側、小径部１１０ｂを前側にした状態で設けられている。支持部材１０のねじ孔部１０３と対応した位置に、左右方向に沿って複数設けられている。
【００２７】
切り欠き部１１１は、後述するように、カム部材１３０を回動させるためにレバー部材１３１を垂直に起こしたときに、レバー部材１３１との干渉を避けるために略方形状に切り欠かれた部位である。切り欠き部１１１は、押さえ部材１１の後側の他端部１１ｂに、レバー部材１３１の形状に合わせて、設けられている。
【００２８】
図１に示す支点部材１２は、金属からなる部材であり、押さえ部材１１の一端部１１ａと他端部１１ｂの間であって、押さえ部材１１の反支持部材１０側（つまり上側）で、押さえ部材１１の他端部１１ｂを反支持部材１０側に変位させることで押さえ部材１１の一端部１１ａを支持部材１０側に変位させるための支点を形成する部材である。図５に示すように、支点部材１２は、頭部１２０と、軸部１２１と、ねじ部１２２とを備えている。      
【００２９】
頭部１２０は、押さえ部材１１の一端部１１ａと他端部１１ｂの間であって、押さえ部材１１の上側で押さえ部材１１に当接し、支点となる支点部を形成する円板状の部位である。頭部１２０の外径寸法は、大径部１１０ａを挿通できるが小径部１１０ｂを挿通できないように設定されている。具体的には、だるま孔部１１０の大径部１１０ａより小さく、かつ、小径部１１０ｂより大きく設定されている。
【００３０】
軸部１２１は、頭部１２０の下側に形成され、支持部材１０の上側の所定位置に頭部１２０を配置するための所定の軸方向長さを有する円柱状の部位である。軸部１２１の外径寸法は、大径部１１０ａ及び小径部１１０ｂを挿通できるように設定されている。具体的には、だるま孔部１１０の大径部１１０ａ及び小径部１１０ｂより小さく設定されている。また、軸部１２１の軸方向寸法は、ドクターブレードＤＢの固定前には、支持部材１０と押さえ部材１１の間に、ドクターブレードＤＢを配置するのに充分な隙間が形成され、ドクターブレードＤＢの固定時には、押さえ部材１１を支持部材１０側に充分に変位させることができるように設定されている。
【００３１】
ねじ部１２２は、支持部材１０のねじ孔部１０３と螺合することで、支点部材１２を支持部材１０に固定する円柱状の雄ねじである。
【００３２】
図１に示す固定部材１３は、押さえ部材１１の他端部１１ｂを反支持部材１０側（つまり上側）に変位させることで、支点部材１２を支点として押さえ部材１１の一端部１１ａを支持部材１０側に変位させ、押さえ部材１１でドクターブレードＤＢを支持部材１０に押しつけて固定する部材である。また、押さえ部材１１の他端部１１ｂとともに、押し上げ部材１４の他端部１４ｂを反支持部材１０側に変位させる部材でもある。固定部材１３は、カム部材１３０と、レバー部材１３１とを備えている。
【００３３】
カム部材１３０は、断面一定の棒状の金属からなる部材であって、周方向に回動して押さえ部材１１の他端部１１ｂを反支持部材１０側（つまり上側）に変位させることで、支点部材１２を支点して押さえ部材１１の一端部１１ａを支持部材１０側に変位させる部材である。また、押さえ部材１１の他端部１１ｂとともに、押し上げ部材１４の他端部１４ｂを反支持部材１０側に変位させる部材でもある。具体的には、図６及び図７に示すように、外周に、平坦面１３０ａと、円弧面１３０ｂとを有する棒状の部材である。平坦面１３０ａには、レバー部材１３１を挿入固定するための孔部１３０ｃが形成されている。カム部材１３０は、カム溝部１０１内に回動可能に保持された状態で、平坦面１３０ａが上側になったときに、平坦面１３０ａが支持部１００の平坦面１００ａと略同一高さになるように、寸法が設定されている。また、平坦面１３０ａが後側に、円弧面１３０ｂが上側から前側を経て下側にかけて配置されるようになったときに、押さえ部材１１の他端部１１ｂを上側に押し上げられるように、寸法が設定されている。
【００３４】
図１に示すレバー部材１３１は、図８に示すように、略Ｙ字棒状の金属からなる部材であって、カム部材１３０を回動させるための部材である。レバー部材１３１は、図６及び図７に示す孔部１３０ｃに、端部１３１ａが挿入され固定されている。
【００３５】
図１に示す押し上げ部材１４は、ドクターブレードＤＢと支持部材１０の間に設けられ、押さえ部材１１でドクターブレードＤＢを支持部１００に押しつけたときに、ドクターブレードＤＢの下面及び支持部１００の平坦面１００ａに当接するとともに、ドクターブレードＤＢを平坦面１００ａから上側に押し上げてドクターブレードＤＢの上面を押さえ部材１１に当接させる部材である。具体的には、弾性を有する帯状の金属からなる部材であって、幅方向の一端部１４ａが押さえ部材１１の一端部１１ａ側に、他端部１４ｂが押さえ部材１１の他端部１１ｂ側に配置され、固定部材１３によって他端部１４ｂを押さえ部材１１の他端部１１ｂとともに上側に変位させることで、ドクターブレードＤＢの下面及び支持部１００に当接するとともに、ドクターブレードＤＢを平坦面１００ａから上側に押し上げてドクターブレードＤＢの上面を押さえ部材１１に当接させる部材である。図９に示すように、押し上げ部材１４は、だるま孔部１４０と、切り欠き部１４１と備えている。
【００３６】
だるま孔部１４０は、大径部１４０ａと、小径部１４０ｂとを備えている。押し上げ部材１４の前後方向及び左右方向の寸法は、押さえ部材１１の前後方向及び左右方向の寸法と同一である。押し上げ部材１４のだるま孔部１４０及び切り欠き１４１の寸法は、押さえ部材１１のだるま孔部１１０及び切り欠き部１１１の寸法と同一である。だるま孔部１４０及び切り欠き１４１の配置も、押さえ部材１１のだるま孔部１１０及び切り欠き部１１１の配置と同一である。押し上げ部材１４は、厚さを除いて、押さえ部材１１と同一形状である。
【００３７】
図１に示すように、支点部材１２は、ねじ部１２２を支持部材１０のねじ孔部１０３に螺合させた状態で、支持部材１０に固定されている。支持部材１０のカム溝部１０１には、固定部材１３のカム部材１３０が回動可能に保持されている。
【００３８】
押し上げ部材１４は、だるま孔部１４０の大径部１４０ａを支点部材１２の頭部１２０に挿通させた後に後側に移動させることで、だるま孔部１４０の小径部１４０ｂが支点部材１２の軸部１２１に挿通した状態で支持部材１０の上側に配置されている。押し上げ部材１４の一端部１４ａは、支持部材１０の一端部１０ａの上側に、他端部１４ｂはカム部材１３０の上側にそれぞれ配置されている。
【００３９】
押さえ部材１１は、だるま孔部１１０の大径部１１０ａを支点部材１２の頭部１２０に挿通させた後に後側に移動させることで、だるま孔部１１０の小径部１１０ｂが支点部材１２の軸部１２１に挿通した状態で押し上げ部材１４の上側に配置されている。押さえ部材１１の一端部１１ａは押し上げ部材１４の一端部１４ａの上側に、他端部１１ｂは押し上げ部材１４の他端部１４ｂの上側にそれぞれ配置されている。
【００４０】
次に、図１、図１０及び図１１を参照して本形態のドクター装置におけるドクターブレードの取り付け方について説明する。ここで、図１０は、ドクターブレード固定前の本形態におけるドクター装置の側面図である。図１１は、押さえ部材と押し上げ部材の間にドクターブレードが挿入された本形態におけるドクター装置の側面図である。なお、図中における前後方向及び上下方向は、方向を区別するために便宜的に記載したものである。
【００４１】
まず、図１０に示すように、レバー部材１３１を垂直に起こし、平坦面１３０ａが上側になるようにカム部材１３０を回動させる。カム部材１３０が回動し、平坦面１３０ａが上側になると、押さえ部材１１及び押し上げ部材１４は、ほぼ水平状態になる。その結果、支点部材１２の頭部１２０と押さえ部材１１の間に隙間が生じ、押さえ部材１１が上下方向に移動可能となる。
【００４２】
図１１に示すように、ドクターブレードＤＢは、押さえ部材１１の一端部１１ａと支持部材１０の一端部１０ａの間に基端部を挿入し、先端部を前側に突出された状態で配置される。具体的には、押さえ部材１１の一端部１１ａと押し上げ部材１４の一端部１４ａの間に基端部を挿入し、先端部を前側に突出された状態で配置される。
【００４３】
その後、図１に示すように、レバー部材１３１を後側に９０度倒し、平坦面１３０ａが後側に、円弧面１３０ｂが上側から前側を経て下側にかけて配置されるようにカム部材１３０を回動させる。カム部材１３０が回動し、円弧面１３０ｂが上側から前側を経て下側にかけて配置されるようになると、押さえ部材１１の他端部１１ｂ及び押し上げ部材１４の他端部１４ｂがカム部材１３０によって押し上げられ、上側に変位する。押し上げ部材１４は、他端部１４ｂが上側に変位することで、一端部１４ａが支持部材１０の一端部１０ａに押しつけられた状態で当接する。押さえ部材１１は、他端部１１ｂが上側に変位することで、頭部１２０を支点として一端部１１ａが支持部材１０側に変位する。その結果、ドクターブレードＤＢが押し上げ部材１４の一端部１４ａを介して支持部材１０の平坦面１００ａに押しつけられる。また、押し上げ部材１４は、他端部１４ｂが上側に変位することで、ドクターブレードＤＢの下面に当接するとともに、ドクターブレードＤＢを平坦面１００ａから上側に押し上げてドクターブレードＤＢの上面を押さえ部材１１に当接させる。その結果、ドクターブレードＤＢが、押さえ部材１１及び押し上げ部材１４に当接した状態で挟持され、支持部１００に押しつけられて固定される。
【００４４】
次に、本形態のドクター装置の効果について説明する。
【００４５】
本形態によれば、ドクター装置１は、支持部材１０と、押さえ部材１１と、支点部材１２と、固定部材１３と、押し上げ部材１４とを備えている。支持部材１０は、ドクターブレードＤＢを支持する部材であって、ドクターブレードＤＢを支持するための支持部１００を有している。押さえ部材１１は、弾性を有する帯状の部材であって、支持部材１０と対向して設けられ、支持部材１０との間にドクターブレードＤＢが配置され、一端部１１ａでドクターブレードＤＢを支持部１００に押しつける部材である。支点部材１２は、押さえ部材１１の一端部１１ａと他端部１１ｂの間であって、押さえ部材１１の上側で押さえ部材に当接し、押さえ部材１１の他端部１１ｂを上側に変位させることで、押さえ部材１１の一端部１１ａを支持部材１０側に変位させるための支点となる頭部１２０を有する部材である。固定部材１３は、押さえ部材１１の他端部１１ｂを上側に変位させる部材である。押し上げ部材１４は、ドクターブレードＤＢと支持部材１０の間に設けられ、押さえ部材１１でドクターブレードＤＢを支持部材１０に押しつけたときに、ドクターブレードＤＢの下面に当接するとともに、ドクターブレードＤＢの上面を押さえ部材１１に当接させる部材である。
【００４６】
押し上げ部材１４は、ドクターブレードＤＢと支持部材１０の間に設けられており、押さえ部材１１でドクターブレードＤＢを支持部１００に押しつけたときに、ドクターブレードＤＢの下面に接触する。また、押し上げ部材１４は、押さえ部材１１でドクターブレードＤＢを支持部１００に押しつけたときに、ドクターブレードＤＢを上側に押し上げてドクターブレードＤＢの上面を押さえ部材１１に接触させる。そのため、押さえ部材１１が湾曲しても、ドクターブレードＤＢの上面と押さえ部材１１の接触部分を従来に比べ大きくすることができる。従って、ドクターブレードＤＢの挟持される部分の面積を、従来に比べ大きくすることができる。その結果、ドクターブレードＤＢの保持力を向上させることができる。
【００４７】
本形態によれば、押し上げ部材１４は、弾性を有する帯状の部材であって、ドクターブレードＤＢと支持部材１０の間に設けられ、一端部１４ａが押さえ部材１１の一端部１１ａ側に、他端部１４ｂが押さえ部材１１の他端部１１ｂ側に配置され、固定部材１３によって他端部１４ｂを押さえ部材１１の他端部１１ｂとともに上側に変位させることで、ドクターブレードＤＢの下面に当接するとともに、ドクターブレードＤＢを上側に押し上げてドクターブレードＤＢの上面を押さえ部材１１に当接させる。そのため、押さえ部材１１でドクターブレードＤＢを支持部１００に押しつけたときに、ドクターブレードＤＢの下面に当接するとともに、ドクターブレードＤＢの上面を押さえ部材１１に確実に当接させることができる。
【００４８】
なお、本形態では、押さえ部材１１及び押し上げ部材１４が弾性を有する薄い板状の金属からなる例を挙げているが、これに限られるものではない。押さえ部材１１及び押し上げ部材１４は、金属以外の材料によって構成されていてもよい。弾性を有するものであればよい。また、押し上げ部材１４を、押さえ部材１１より弾性変形しやすい構成としてもよい。これにより、ドクターブレードＤＢの下面により当接しやすくなる。
【００４９】
（第２実施形態）
次に、本形態のドクター装置について説明する。本形態のドクター装置は、第１実施形態のドクター装置に対して、押し上げ部材の構成を変更したものである。
【００５０】
本形態のドクター装置は、押し上げ部材の構成を除いて第１実施形態のドクター装置と同一である。そのため、図１２〜図１４を参照して押し上げ部材の構成についてのみ説明する。なお、第１実施形態と同一の構成要素は、同一の符号を付し説明を省略する。ここで、図１２は、本形態におけるドクター装置の側面図である。図１３は、図１２における押し上げ部材周辺の部分拡大図である。図１４は、図１２における支持部材の上面図である。なお、図中における前後方向、左右方向及び上下方向は、方向を区別するために便宜的に記載したものである。
【００５１】
図１２に示すドクター装置２は、支持部材１０と、押さえ部材１１と、支点部材１２と、固定部材１３と、押し上げ部材１５とを備えている。
【００５２】
図１２に示す押し上げ部材１５は、ドクターブレードＤＢと支持部材１０の間に設けられ、押さえ部材１１でドクターブレードＤＢを支持部１００に押しつけたときに、ドクターブレードＤＢの支持部材１０側の表面（つまり下面）及び支持部材１０に当接するとともに、ドクターブレードＤＢを平坦面１００ａから押さえ部材１１側（つまり上側）に押し上げてドクターブレードＤＢの押さえ部材１１側の表面（つまり上面）を押さえ部材１１に当接させる部材である。具体的には、支持部１００の平坦面１００ａに、ドクターブレードＤＢ側（つまり上側）に突出するように設けられ、押さえ部材１１でドクターブレードＤＢを支持部１００に押しつけたときに、ドクターブレードＤＢの下面に当接するとともに、ドクターブレードＤＢを平坦面１００ａから上側に押し上げてドクターブレードＤＢの上面を押さえ部材１１に当接させる部材である。より具体的には、図１２〜図１４に示すように、左右方向に細長く、側面が略楔形状である金属ならなる板状の部材である。押し上げ部材１５の側面は、他端部１５ｂから一端部１５ａに向かって徐々に細くなっている。押し上げ部材１５の上面は、押さえ部材１１でドクターブレードＤＢを支持部１００に押しつけたときに、ドクターブレードＤＢの下面が当接できるように、下側にわずかに湾曲した湾曲面を有している。押しつけ部材１５の前後方向の寸法は、押し上げ部材１５の一端部１５ａ側の先端を支持部材１０の一端部１０ａ側の先端に揃えた状態で、支持部材１０の上側に配置したときに、押し上げ部材１５の他端部１５ｂが支点部材１２より前側に位置するように設定されている。押し上げ部材１５の左右方向の寸法は、支持部１００の左右方向の寸法と同一になるように設定されている。押し上げ部材１５は、押し上げ部材１５の一端部１５ａ側の先端を支持部材１０の一端部１０ａ側の先端に揃えた状態で、支持部１００の平坦面１００ａに固定されている。
【００５３】
次に、図１２及び図１３を参照して本形態のドクター装置におけるドクターブレードの取り付け方について説明する。
【００５４】
図１２に示すように、カム部材１３０が回動し、円弧面１３０ｂが上側から前側を経て下側にかけて配置されるようになると、押さえ部材１１の他端部１１ｂがカム部材１３０によって押し上げられ、上側に変位する。押さえ部材１１は、他端部１１ｂが上側に変位することで、支点部材１２を支点として一端部１１ａが支持部材１０側に変位する。その結果、ドクターブレードＤＢが、押し上げ部材１５を介して支持部１００に押しつけられる。ドクターブレードＤＢと支持部材１０の間には、側面が略楔形状の押し上げ部材１５が設けられている。押し上げ部材１５は、ドクターブレードＤＢの下面に当接するとともに、ドクターブレードＤＢを上側に押し上げてドクターブレードＤＢの上面を押さえ部材１１に当接させる。その結果、ドクターブレードＤＢが、押さえ部材１１及び押し上げ部材１５に当接した状態で挟持され、支持部１００に押しつけられて固定される。
【００５５】
次に、本形態のドクター装置の効果について説明する。
【００５６】
本形態によれば、押し上げ部材１５は、支持部１００の平坦面１００ａに、上側に突出するように設けられ、押さえ部材１１でドクターブレードＤＢを支持部１００に押しつけたときに、ドクターブレードＤＢの下面に当接するとともに、ドクターブレードＤＢを上側に押し上げてドクターブレードＤＢの上面を押さえ部材に当接させる。そのため、押さえ部材１１でドクターブレードＤＢを支持部１００に押しつけたときに、ドクターブレードＤＢの下面に当接するとともに、ドクターブレードＤＢの上面を押さえ部材１１に確実に当接させることができる。しかも、押し上げ部材１５の上面が下側にわずかに湾曲しているため、ドクターブレードＤＢの下面に確実に接触した状態で、ドクターブレードＤＢを上側に押し上げることができる。
【００５７】
なお、本形態では、押し上げ部材１５が金属からなる例を挙げているが、これに限られるものではない。押し上げ部材１５は、金属以外の材料で構成されていてもよい。弾性を有する材料で構成されていてもよい。
【００５８】
本形態では、押し上げ部材１５の上面が下側に湾曲している例を挙げているが、これに限られるものではない。湾曲していなくてもよい。側面が略楔形状であればよい。
【００５９】
本形態では、押し上げ部材１５が別部材として支持部材１０に固定されている例を挙げているが、これに限られるものではない。押し上げ部材１５は、支持部材１０に一体的に設けられていてもよい。
【００６０】
本形態では、押し上げ部材１５が、支持部材１０の平坦面１００ａに左右方向に連続して設けられている例を挙げているが、これに限られるものではない。間隔をあけて左右方向に複数設けられていてもよい。
【００６１】
本発明は、第１及び第２実施形態にのみに限定されるものではなく、本発明の主旨を逸脱しない範囲で、これら形態を組み合わせることができる。
【符号の説明】
【００６２】
１、２・・・ドクター装置、１０・・・支持部材、１０ａ・・・一端部、１０ｂ・・・他端部、１００・・・支持部、１００ａ・・・平坦面、１０１・・・カム溝部、１０２・・・レバー溝部、１０３・・・ねじ孔部、１１・・・押さえ部材、１１ａ・・・一端部、１１ｂ・・・他端部、１１０・・・だるま孔部、１１０ａ・・・大径部、１１０ｂ・・・小径部、１１１・・・切り欠き部、１２・・・支点部材、１２０・・・頭部、１２１・・・軸部、１２２・・・ねじ部、１３・・・固定部材、１３０・・・カム部材、１３０ａ・・・平坦面、１３０ｂ・・・円弧面、１３０ｃ・・・孔部、１３１・・・レバー部材、１３１ａ・・・端部、１４、１５・・・押し上げ部材、１４ａ、１５ａ・・・一端部、１４ｂ、１５ｂ・・・他端部、１４０・・・だるま孔部、１４０ａ・・・大径部、１４０ｂ・・・小径部、１４１・・・切り欠き部、ＤＢ・・・ドクターブレード
【図１】
2018196943.tif 000003
【図２】
2018196943.tif 000004
【図３】
2018196943.tif 000005
【図４】
2018196943.tif 000006
【図５】
2018196943.tif 000007
【図６】
2018196943.tif 000008
【図７】
2018196943.tif 000009
【図８】
2018196943.tif 000010
【図９】
2018196943.tif 000011
【図１０】
2018196943.tif 000012
【図１１】
2018196943.tif 000013
【図１２】
2018196943.tif 000014
【図１３】
2018196943.tif 000015
【図１４】
2018196943.tif 000016